(57)【要約】【課題】ハウジングのデザイン性に優れ、しかも、ハウジングの製造が容易な充電器を提供する。【解決手段】バッテリパックを充電するための電気回路２がハウジング３，４に覆われている充電器１であって、ハウジング３，４は、上面８と下面９と前後左右の四つの側面６，７，１０，１１とを備え、ハウジング３，４は、上ハウジング３と下ハウジング４が上下に接合されて構成され、上ハウジング３と下ハウジング４の接合線４０は、ハウジング３，４の前後一対の側面６，７と左右一対の側面１０，１１のうち、一方の一対の側面１０，１１において相対的に高く、他方の一対の側面６，７において相対的に低く構成されている。【選択図】図８
2018133959.tif 000002
【特許請求の範囲】
【請求項１】
バッテリパックを充電するための電気回路がハウジングに覆われている充電器であって、
ハウジングは、上面と下面と前後左右の四つの側面とを備え、
ハウジングは、上ハウジングと下ハウジングが上下に接合されて構成され、
上ハウジングと下ハウジングの接合線は、ハウジングの前後一対の側面と左右一対の側面のうち、一方の一対の側面において相対的に高く、他方の一対の側面において相対的に低く構成されていることを特徴とする充電器。
【請求項２】
前記一方の一対の側面の大部分は下ハウジングの側面部によって構成されており、前記他方の一対の側面の大部分は上ハウジングの側面部によって構成されている請求項１記載の充電器。
【請求項３】
前記一方の一対の側面における下ハウジングの側面部は、全体として上側ほど外側となるように傾斜しており、該下ハウジングの側面部の全高のうち上部のみに通気孔が形成されている請求項２記載の充電器。
【請求項４】
前記一方の一対の側面における下ハウジングの側面部の両側端部には、それぞれ外側に向けて突出したガード壁部が形成されている請求項３記載の充電器。
【発明の詳細な説明】
【技術分野】
【０００１】
本発明は、バッテリパックを充電するための充電器に関する。
【背景技術】
【０００２】
充電器は、バッテリパックを充電するための電気回路がハウジングに内蔵された構成となっている。下記特許文献１，２記載の充電器においては、ハウジングは上下二分割の構成となっていて、ハウジングの上半分を構成する下面開口の上ハウジングと、ハウジングの下半分を構成する上面開口の下ハウジングとから構成されている。そして、ハウジングは、上ハウジングの側面部の下端と下ハウジングの側面部の上端を接合することにより、上ハウジングと下ハウジングとが接合一体化されて構成される。上ハウジングと下ハウジングが接合されることで、ハウジングの側面には接合線が全周に亘って形成されることになる。この接合線は、ハウジングの側面の上下方向中央部近傍に形成されていて、側面の全周に亘って水平に延びている。
【０００３】
しかしながら、接合線は、ハウジングの側面を上下に分割する分割線でもあるため、外観上、目立ちやすい。また、接合線がハウジングの側面の上下方向の中央部近傍に位置すると、上下方向に長く連続した面形状が採用できない等、ハウジングの側面のデザインに制約が生じる。
【０００４】
一方、下記特許文献３記載の充電器では、接合線が下寄りにオフセットして設けられていて、上ハウジングの側面の上下方向の寸法が長く、下ハウジングの側面の上下方向の寸法が短くなっている。そのため、下ハウジングの構造がシンプルで製造も容易である一方、上ハウジングの構造が過度に複雑になって製造も容易ではなくなるという問題がある。
【先行技術文献】
【特許文献】
【０００５】
【特許文献１】特許第５８８８０１８号公報
【特許文献２】特開２０１５−１９５３５号公報
【特許文献３】特開２００４−１４７３６０号公報
【発明の概要】
【発明が解決しようとする課題】
【０００６】
それゆえに本発明は上記従来の問題点に鑑みてなされ、ハウジングのデザイン性に優れ、しかも、ハウジングの製造が容易な充電器を提供することを課題とする。
【課題を解決するための手段】
【０００７】
本発明は上記課題を解決すべくなされたものであって、本発明に係る充電器は、バッテリパックを充電するための電気回路がハウジングに覆われている充電器であって、ハウジングは、上面と下面と前後左右の四つの側面とを備え、ハウジングは、上ハウジングと下ハウジングが上下に接合されて構成され、上ハウジングと下ハウジングの接合線は、ハウジングの前後一対の側面と左右一対の側面のうち、一方の一対の側面において相対的に高く、他方の一対の側面において相対的に低く構成されていることを特徴とする。尚、前後左右は便宜上の向きであって、四つの側面のうち何れを前面としてもよい。
【０００８】
該構成の充電器においては、上ハウジングと下ハウジングの接合線が全周に亘って上下方向の中央部近傍に同一高さで位置するのではなく、ハウジングの前後一対の側面と左右一対の側面のうち、一方の一対の側面においては接合線が相対的に高くなっていて、他方の一対の側面においては接合線が相対的に低くなっている。例えば、左右一対の側面において接合線が高く、前後一対の側面において接合線が低く構成されていたり、あるいは、前後一対の側面において接合線が高く、左右一対の側面において接合線が低く構成されていたりする。ハウジングの側面は上ハウジングの側面部と下ハウジングの側面部によって構成されるが、接合線が相対的に高い側面においては、下ハウジングの側面部の方が上ハウジングの側面部よりも大きな面積を占めることになる。逆に、接合線が相対的に低い側面においては、上ハウジングの側面部の方が下ハウジングの側面部よりも大きな面積を占めることになる。このように接合線が上下方向の中央部近傍に位置せずに、ハウジングの上面に近い位置や下面に近い位置に形成されているので、接合線が目立ちにくく、良好な美感が得られる。また、四つの側面のうちの二面については上ハウジングの側面部の構成比率を高める一方、残る二面については下ハウジングの側面部の構成比率を高めるようにしているので、上ハウジングと下ハウジングの一方に偏り過ぎるということがなくバランス良く構成することができる。
【０００９】
特に、前記一方の一対の側面の大部分は下ハウジングの側面部によって構成されており、前記他方の一対の側面の大部分は上ハウジングの側面部によって構成されていることが好ましい。このようにハウジングの四つの側面のうちの二面においては下ハウジングの側面部が大部分を占め、残る二面においては上ハウジングの側面部が大部分を占めるように構成すると、接合線が特に目立ちにくくなって良好な外観体裁が得られる。また、例えばハウジングの側面の略全高に亘って長く延びるような連続した凸状や凹状のリブ等も形成することができる。
【００１０】
更に、前記一方の一対の側面における下ハウジングの側面部は、全体として上側ほど外側となるように傾斜しており、該下ハウジングの側面部の全高のうち上部のみに上部に通気孔が形成されていることが好ましい。このように下ハウジングの側面部が外側に傾斜していると、その下ハウジングの側面部に雨が当たりにくくなる。そして、その下ハウジングの側面部の上部のみに通気孔が形成されていて下部には通気孔が形成されていないので、通気孔からの雨の侵入をより一層防止することができる。また、下ハウジングの側面部が外側に傾斜していると、例えば充電器の側面が壁に当接した際に通気孔が壁で塞がれにくくなる。そのため、充電器の側面が壁に当接した状態でバッテリパックを充電しても、通気孔を介した空気の流入や流出は確保され、充電器の内部の温度上昇を抑制できる。
【００１１】
更に、前記一方の一対の側面における下ハウジングの側面部の両側端部には、それぞれ外側に向けて突出したガード壁部が形成されていることが好ましい。このように下ハウジングの側面部の両側端部にガード壁部が突設されていると、例えば充電器を誤って床や地面に落下したときに、ガード壁部が床や地面に当たることになる。通気孔が形成されている下ハウジングの側面部の部分は他の部分に比して相対的に強度が弱くなっているが、その部分をガード壁部が保護することになり、ハウジングの破損を防止できる。
【発明の効果】
【００１２】
以上のように、上ハウジングと下ハウジングの接合線が、ハウジングの前後一対の側面と左右一対の側面のうち、一方の一対の側面においては相対的に高くなっていて、他方の一対の側面においては相対的に低くなっているので、デザイン性に優れ、しかも、製造も容易である。
【図面の簡単な説明】
【００１３】
【図１】本発明の一実施形態における充電器を示す斜め前方から見た斜視図。
【図２】同充電器を斜め後方から見た斜視図。
【図３】同充電器を前側から見た正面図。
【図４】同充電器を後側から見た背面図。
【図５】同充電器の右側面図。
【図６】同充電器の左側面図。
【図７】同充電器の底面図。
【図８】同充電器のハウジングを上下に分離した状態を示す斜め前方から見た斜視図。
【図９】図６のＢ−Ｂ断面図。
【図１０】図６のＣ−Ｃ断面図。
【図１１】同充電器からバッテリパックが外された状態を示す左側面図。
【図１２】同充電器にバッテリパックを装着した状態を示す左側面図。
【図１３】同充電器からバッテリパックが外された状態を示す図４のＡ−Ａ線に対応した断面図。
【図１４】同充電器にバッテリパックを装着した状態を示す図４のＡ−Ａ線に対応した断面図。
【図１５】同充電器に接続されるバッテリパックを斜め前方から見た斜視図。
【図１６】同充電器に接続されるバッテリパックを斜め後方から見た斜視図。
【発明を実施するための形態】
【００１４】
以下、本発明の一実施形態にかかる充電器１について図１〜図１４を参酌しつつ説明する。本実施形態の充電器１は、充電式のバッテリパック８０を充電するためのものである。充電器１に接続されるバッテリパック８０の一例を図１５及び図１６に示している。バッテリパック８０は、図示しない電動工具に着脱自在に装着されて使用される。バッテリパック８０はその上面８１が取付面となっており、バッテリパック８０は、その上面８１を電動工具のバッテリ取付面に対峙させるようにして電動工具に取り付けられる。その取り付け方式はスライド式であって、バッテリパック８０は電動工具のバッテリ取付面にスライド装着される。そのためバッテリパック８０には左右一対のスライドレールが形成されている。
【００１５】
バッテリパック８０は、全体としてボックス型であって、図１３及び図１４のように複数の電池セル８４を内蔵している。電池セル８４は、充電することによって繰り返し使用できる二次電池である。バッテリパック８０の上面８１の中央部には一段上方に突出した高台部８５が形成されている。該高台部８５の前面にバッテリパック８０の端子８６が並設されており、高台部８５の左右側面にスライドレールがそれぞれ左右対称形状で形成されている。詳細には、高台部８５の側面下部には前後方向に沿って延びる凹溝８７が形成され、高台部８５の側面上部には、高台部８５の側面下部に凹溝８７を形成することによって相対的に側方に突出した状態となった凸条８８が前後方向に延びて形成されており、この上側の凸条８８と下側の凹溝とからバッテリパック８０のスライドレールが構成されている。また、バッテリパック８０の前面８２と後面８３にはそれぞれ通気孔８９，９０が形成されている。前側の通気孔８９は上側にオフセットした位置に形成され、後側の通気孔９０は、下側にオフセットした位置に形成されている。バッテリパック８０は充電器１の上面に装着される。そのため充電器１は、その上面にバッテリパック８０が装着されるバッテリ装着部を備えている。
【００１６】
充電器１は、バッテリパック８０を充填するための電気回路２と、該電気回路２を覆うハウジング３，４とを備えている。電気回路２には電源コード５を介して電力が供給される。電源コード５は、ハウジング３，４の前面６から外部に延びており、詳細には、ハウジング３，４の前面６の左側にオフセットした位置から前側に向けて延びている。バッテリパック８０の端子８６が接続される充電器１の端子１５は、ハウジング３，４の上面８に設けられているが、電気回路２は、充電器１の端子１５を介してバッテリパック８０を充電する。電気回路２は、バッテリパック８０を急速充電できるように構成されている。そのため、電気回路２は発熱量が大きく、図８〜図１０のように放熱のための放熱板１６が各所に配置されている。尚、放熱板１６の上端はハウジング３，４の上部（上半分の領域）まで達している。また、ハウジング３，４の内部であって後部の高所には、図８、図１３及び図１４のように、電気回路２を冷却するため、及び、充電器１に接続されたバッテリパック８０を冷却するためのファン１７が設けられている。ファン１７は、充電器１の端子１５の後側に位置していて、前側に向かって送風するように構成されている。
【００１７】
ハウジング３，４は、全体として高さの低い直方体形状の箱形であって、上面８と下面９と四つの側面とを有している。ハウジング３，４の四つの側面は、互いに前後に対向する前後一対の側面と、互いに左右に対向する左右一対の側面とからなるが、それら四つの側面を、便宜上、前面６、後面７、左側面１０、右側面１１と称することとする。ハウジング３，４の上面８、下面９、及び四つの側面は、それぞれ充電器１の上面、下面、及び四つの側面となる。
【００１８】
ハウジング３，４の上面８にバッテリ装着部が形成されている。具体的には、ハウジング３，４の上面８の右寄りの位置に装着用凹部２０が設けられている。尚、本実施形態では、装着用凹部２０は、ハウジング３，４の右寄りにオフセットした位置に設けられているが、左右方向の中央部であってもよいし、左寄りにオフセットした位置であってもよい。図１１〜図１４に示しているようにバッテリパック８０は上下逆向きで充電器１に装着され、バッテリパック８０の高台部８５が装着用凹部２０に挿入される。バッテリパック８０は、装着用凹部２０に前後方向に沿ってスライドしつつ着脱され、具体的には、前側から後側に向けて装着される。従って、バッテリパック８０の着脱方向は前後方向である。尚、バッテリパック８０は、装着用凹部２０に前側から後側に向けて若干斜めに下降しつつ装着される。
【００１９】
装着用凹部２０は、ハウジング３，４の上面８に開口すると共に前面６にも開口しており、従って、装着用凹部２０は、ハウジング３，４の前面６の上部を部分的に切り欠くようにして形成されている。装着用凹部２０の最奧部（最後部）である後壁面に、充電器１の端子１５が配置されている。また、装着用凹部２０の左右両側壁面の上部には、それぞれバッテリパック８０のスライドレールを案内するためのガイド凸部２１が突設されている。左右のガイド凸部２１は互いに対向して配置されている。尚、本実施形態ではガイド凸部２１が左右両側壁面に一箇所ずつ形成されているが、複数箇所ずつ形成されていてもよい。また、ガイド凸部２１が前後方向に延びる形状であってもよい。バッテリパック８０のスライドレールを構成している凸条８８が、装着用凹部２０のガイド凸部２１と装着用凹部２０の底面との間を通る。それと同時に、バッテリパック８０のスライドレールを構成している凹溝８７に、装着用凹部２０のガイド凸部２１が係合する。
【００２０】
そして、バッテリパック８０を充電器１に装着する際には、ハウジング３，４の上面８のうち装着用凹部２０の左右両側に隣接する部分２２にバッテリパック８０の上面８１が摺動して、装着状態においては、ハウジング３，４の上面８のうち装着用凹部２０の左右両側に隣接する部分２２と後側に隣接する部分２３の三箇所がバッテリパック８０の上面８１に当接してバッテリパック８０を下側から支持する。従って、ハウジング３，４の上面８のうち装着用凹部２０の左右両側に隣接する部分２２と後側に隣接する部分２３が、充電器１のバッテリ取付面となる。該バッテリ取付面と装着用凹部２０とから上述したバッテリ装着部が構成されている。ハウジング３，４の上面８のうちバッテリ取付面は前側から後側に向けて下降するように傾斜した傾斜面となっている。そのため、充電器１に装着されたバッテリパック８０は水平姿勢ではなく傾斜姿勢となる。
【００２１】
ハウジング３，４の上面８の前部には表示パネル面２４が設けられている。該表示パネル面２４には充電中を示すインジケータ等、各種のインジケータ２５が設けられている。表示パネル面２４は装着用凹部２０の左側に位置している。ハウジング３，４の上面８は上述したバッテリ取付面を含めてその主要部が後側に向けて下降する傾斜面となっているが、表示パネル面２４及びその周囲の部分は逆に若干前側に向けて下降した傾斜面となっている。尚、装着用凹部２０の右側にも表示パネル面２４と同様に若干前側に向けて下降した傾斜面３５が形成されている。このように装着用凹部２０の左右両側にそれぞれ所定距離離間して表示パネル面２４と傾斜面３５が形成されていることにより、装着用凹部２０の左右両側にはそれぞれ相対的に上方に突出した傾斜壁３６が隣接して形成されており、該傾斜壁３６の上面が上述したバッテリ取付面となっている。
【００２２】
ハウジング３，４の上面８の後部には冷却用ヘッド部２６が上方に向けて突設されている。該冷却用ヘッド部２６は装着用凹部２０の後側に位置していて、ハウジング３，４の上面８の最後部に位置している。冷却用ヘッド部２６の内部に上述したファン１７が設けられている。冷却用ヘッド部２６の前面には通気孔２７が複数並設されており、該通気孔２７からファン１７の冷却風がハウジング３，４の外部に前側に向けて吹き出される。冷却用ヘッド部２６の後面はハウジング３，４の後面７から上方に向けて延びている。冷却用ヘッド部２６の後面には、上下方向に延びる凹溝２８が複数並設されている。該凹溝２８は冷却用ヘッド部２６の後面の下部から上方に延びていて冷却用ヘッド部２６の上面に達している。凹溝２８の幅は上側に向けて拡がっている。凹溝２８の側壁面にはハウジング３，４の内部に空気を取り込むための通気孔２９が形成されている。ファン１７が回転することにより、冷却用ヘッド部２６の後面の通気孔２９から空気が冷却用ヘッド部２６の内部に流入し、冷却用ヘッド部２６の前面の通気孔２７から空気が前側に排出されると共に、ハウジング３，４の内部にも空気の流れが発生する。
【００２３】
ハウジング３，４の前面６であって装着用凹部２０の前側の位置には、冷却用ヘッド部２６の後面７と同様に上下方向に延びる凹溝３０が複数並設されている。該凹溝３０はハウジング３，４の前面６の下部から装着用凹部２０まで延びている。該凹溝３０の側壁面には通気孔３１が形成されている。尚、ハウジング３，４の前面６の凹溝３０は、冷却用ヘッド部２６の後面７の凹溝２９と同様に上側に向けて幅広となっている。
【００２４】
ハウジング３，４の左側面１０と右側面１１にもそれぞれ上下方向に延びる凹溝３２が複数並設されている。ハウジング３，４の左側面１０と右側面１１における凹溝３２は互いに対称配置で形成されていて、左側面１０と右側面１１の大部分の領域に形成されている。ハウジング３，４の左側面１０と右側面１１における凹溝３２は、下側に向けて徐々に幅広となっている。該ハウジング３，４の左側面１０と右側面１１の凹溝３２の側壁面にも通気孔３３が形成されている。但し、ハウジング３，４の左側面１０と右側面１１における各凹溝３２にそれぞれ通気孔３３が形成されているのではなく、それぞれ前側の凹溝３２のみに通気孔３３が形成されている。本実施形態では、前側の四本の凹溝３２に通気孔３３が形成されており、後側の五本の凹溝３２には通気孔３３が形成されていない。また、通気孔３３は、凹溝３２の上部のみに形成されていて下部には形成されていない。ファン１７が回転することでハウジング３，４の内部には空気の流れが発生するが、ハウジング３，４の内部の空気はハウジング３，４の前面６の通気孔３１と左右両側面の通気孔３３からハウジング３，４の外部へと流出する。
【００２５】
ハウジング３，４の左側面１０と右側面１１の前後両側端部にはそれぞれ外側に向けてガード壁部３４が突設されている。図９のように両ガード壁部３４は、その間に位置する側面１０，１１の部分に比して相対的に外側に突出しており、換言すれば、両ガード壁部３４の間に位置する側面１０，１１の部分は両ガード壁部３４よりもハウジング３，４の内側に向けて奥まった位置関係にある。
【００２６】
ハウジング３，４は、上下二分割の構成となっており、上側に位置する上ハウジング３と下側に位置する下ハウジング４とから構成される。上ハウジング３と下ハウジング４は何れも合成樹脂製であって射出成形品である。上ハウジング３と下ハウジング４が互いに上下に接合されることでハウジング３，４が形成される。従って、ハウジング３，４の前面６、後面７、左側面１０、及び右側面１１にはそれぞれ上ハウジング３と下ハウジング４とが接合した接合線４０が形成される。
【００２７】
上ハウジング３は、ハウジング３，４の上面８となる上面部５０と該上面部５０の周縁から下方に拡開しつつ延びる前後左右の四つの側面部とを備えている。上ハウジング３の四つの側面部をそれぞれ前上側面部５１、後上側面部５２、左上側面部５３、右上側面部５４と称することとする。下ハウジング４は、ハウジング３，４の下面９となる下面部６０と該下面部６０の周縁から上方に拡開しつつ延びる前後左右の四つの側面部とを備えている。下ハウジング４の四つの側面部をそれぞれ前下側面部６１、後下側面部６２、左下側面部６３、右下側面部６４と称することとする。上ハウジング３の四つの側面部の下端と下ハウジング４の四つの側面部の上端とが接合して接合線４０が形成される。
【００２８】
接合線４０は、ハウジング３，４の前面６と後面７においては相対的に低い位置にあり、ハウジング３，４の左右両側面１０，１１においては相対的に高い位置にある。具体的には、接合線４０は、ハウジング３，４の前面６と後面７においてはハウジング３，４の下面９の近傍に位置していて、ハウジング３，４の左右両側面１０，１１においてはハウジング３，４の上面８と前面６と後面７の近傍に位置している。ハウジング３，４の前面６においては、接合線４０はその大部分がハウジング３，４の下面９の近傍に位置していて水平方向に延びており、電源コード５の周辺においてのみ部分的に若干高い位置を水平方向に延びている。ハウジング３，４の後面７においては、接合線４０はその全体がハウジング３，４の下面９の近傍に位置していて水平方向に延びており、ハウジング３，４の前面６における接合線４０の大部分と同じ高さとなっている。ハウジング３，４の左右両側面１０，１１においては、接合線４０は互いに対称形状となっていて、その大部分の主要部においてはハウジング３，４の上面８の近傍に位置していてハウジング３，４の上面８の形状に沿って略前後に延びていて、該主要部の前後両端からそれぞれハウジング３，４の前面６と後面７に沿って急激に下降している。
【００２９】
ハウジング３，４の前面６と後面７の大部分はそれぞれ上ハウジング３の前上側面部５１と後上側面部５２によって構成されており、ハウジング３，４の左右両側面１０，１１の大部分はそれぞれ下ハウジング４の左下側面部６３と右下側面部６４によって構成されている。そして、装着用凹部２０、冷却用ヘッド部２６、冷却用ヘッド部２６の後面の凹溝２８、及び、ハウジング３，４の前面６の凹溝３０は、上ハウジング３に形成されている。ハウジング３，４の前面６の凹溝３０は、接合線４０を上下に跨ぐことなく上ハウジング３の前上側面部５１のみに形成されており、接合線４０から上方に離間して形成されている。冷却用ヘッド部２６の後面の凹溝２８も同様に、接合線４０を上下に跨ぐことなく上ハウジング３の後上側面部５２のみに形成されていて接合線４０から上方に離間して形成されている。尚、電源コード５は接合線４０上に位置していて、上ハウジング３の前上側面部５１と下ハウジング４の前下側面部６１との間から前側に延びている。ハウジング３，４の左右両側面１０，１１の凹溝３２は、接合線４０を上下に跨ぐことなく下ハウジング４の左下側面部６３と右下側面部６４のみに形成されていて接合線４０から下方に離間して形成されている。従って、接合線４０は、ハウジング３，４の前面６の凹溝３０や冷却用ヘッド部２６の後面の凹溝２８、ハウジング３，４の左右両側面１０，１１の凹溝３２を横断していない。
【００３０】
上ハウジング３の前上側面部５１は下側ほど外側となるように傾斜している。上ハウジング３の前上側面部５１の垂直面に対する傾斜角度は、金型の抜き勾配よりも大きくて５度以上である。また、上ハウジング３の後上側面部５２も同様に下側ほど外側となるように傾斜していてその傾斜角度は抜き勾配よりも大きく、５度以上である。上ハウジング３と下ハウジング４の抜き勾配は例えば１〜３度である。尚、冷却用ヘッド部２６の後面は抜き勾配で下側ほど外側となるように傾斜している。また、装着用凹部２０の左右側壁面も抜き勾配で傾斜している。下ハウジング４の左下側面部６３と右下側面部６４は上側ほど外側となるように傾斜しており、垂直面に対する傾斜角度は、抜き勾配よりも大きく、５度以上である。
【００３１】
以上のように構成された充電器１には図１１〜図１４のようにバッテリパック８０が上下逆向きで装着される。充電器１にバッテリパック８０が装着された状態において、バッテリパック８０の前面８２は充電器１の冷却用ヘッド部２６の前面に当接あるいは若干の隙間を介して対峙した状態となり、バッテリパック８０の前面８２の通気孔８９は充電器１の冷却用ヘッド部２６の前面の通気孔２７と対峙した状態となる。そして、充電を開始すると、ファン１７が回転して、冷却用ヘッド部２６の後面の通気孔２９からハウジング３，４の内部に空気が流入し、ファン１７が前側に向けて送風することで、冷却用ヘッド部２６の前面の通気孔２７からバッテリパック８０の前面８２の通気孔８９を介して冷却風がバッテリパック８０の内部へと流入し、バッテリパック８０の内部を冷却した後、バッテリパック８０の後面８３の通気孔９０から外部に排気される。それと同時に、ファン１７の冷却風はハウジング３，４の内部にも流れていくので電気回路２も同時に冷却され、その後、ハウジング３，４の前面６及び左右両側面１０，１１の合計三面の通気孔３１，３３から排気される。
【００３２】
放熱板１６は前側に多く配置されているので、ハウジング３，４の前面６に通気孔３１を形成すると共に、ハウジング３，４の左右両側面１０，１１のうち前部に通気孔３３を形成することにより、放熱板１６を効率良く冷却できる。しかも、ハウジング３，４の左右両側面１０，１１の通気孔３３は左右両側面１０，１１の後部には形成されておらず左右両側面１０，１１の前部のみに形成されているので、通気孔３３が左右両側面１０，１１の後部にまで形成されている構成に比して雨の侵入を抑制できる。また、ハウジング３，４の左右両側面１０，１１の通気孔３３は左右両側面１０，１１の上部に形成されているので、ハウジング３，４の上部に溜まりやすい熱気を効率良く外部に排出できる。更に、ハウジング３，４の左右両側面１０，１１の通気孔３３は、凹溝３２の全長のうち下部には形成されずに上部のみに形成されている。即ち、通気孔３３は、左右両側面１０，１１の全高のうち下部には形成されずに上部のみに形成されているので、雨の侵入を抑制できる。特に、ハウジング３，４の左右両側面１０，１１の通気孔３３は下ハウジング４の左下側面部６３と右下側面部６４に形成されていて、その下ハウジング４の左下側面部６３と右下側面部６４が外側に傾斜しているので、通気孔３３からの雨の侵入をより一層確実に防止できる。また、下ハウジング４の左下側面部６３と右下側面部６４が外側に傾斜しているので、ハウジング３，４の左右両側面１０，１１が壁に当接した際に凹溝３２が壁で塞がれにくくなる。そのため、ハウジング３，４の左右両側面１０，１１が壁に当接した状態でバッテリパック８０を充電しても、通気孔３３からの排気が確保され、電気回路２の過度の温度上昇を抑制できる。
【００３３】
また、下ハウジング４の左下側面部６３や右下側面部６４には、ハウジング３，４の側面１０，１１の全高のうちの大部分の長さを占める多数の凹溝３２が形成されていて、その凹溝３２と凹溝３２間の凸条の部分とがリブとして機能し、ハウジング３，４の側面１０，１１を補強している。しかも、下ハウジング４の左下側面部６３や右下側面部６４の前後両側端部には、それぞれ外側に向けて突出したガード壁部３４が形成されているので、充電器１を誤って床や地面に落下したとしても、ガード壁部３４がハウジング３，４の側面１０，１１を保護する。上述のように凹溝３２等によってハウジング３，４の側面１０，１１は補強されているが、通気孔３３が形成されている前部の上部は、通気孔３３が形成されていない他の部分に比して相対的に強度が弱くなっている。しかしながら、下ハウジング４の左下側面部６３や右下側面部６４の前後両側端部にガード壁部３４が形成されているので、通気孔３３が形成されている部分がガード壁部３４によって保護されることになり、落下時や強い衝撃が作用した場合において、通気孔３３が形成されている部分の破損を防止することができる。
【００３４】
一方、接合線４０が全周に亘って上下方向の中央部近傍に同一高さで位置していないので、接合線４０が目立ちにくく、良好な美感が得られ、デザイン性に優れている。また、上ハウジング３がハウジング３，４の前面６と後面７の大部分を受け持ち、下ハウジング４がハウジング３，４の左右両側面１０，１１の大部分を受け持つ構成であるので、上ハウジング３や下ハウジング４の一方に構成比率が過度に偏るということがない。従って、上ハウジング３と下ハウジング４をバランス良く構成できると共に容易に製造できる。特に、装着用凹部２０と冷却用ヘッド部２６を上ハウジング３に完結した態様で形成しているので、装着用凹部２０と冷却用ヘッド部２６を容易に構成できる。同様に、下ハウジング４に左右両側面１０，１１の凹溝３２を全て完結的に形成しているので、左右両側面１０，１１の凹溝３２も容易にできる。しかも、左右両側面１０，１１の凹溝３２を接合線４０が横断していないので、良好な美感が得られる。
【００３５】
尚、ファン１７の回転は逆向きであってもよい。また、装着用凹部２０の構成も任意であって、上述のような前側から後側に向けてバッテリパック８０を差し込む構成ではなく、逆に、前側から後側に向けてバッテリパック８０を差し込む構成であったり、左右方向にバッテリパック８０を差し込む構成であってもよいし、また、上側から下側に向けてバッテリパック８０を差し込む構成としてもよい。
【符号の説明】
【００３６】
１    充電器
２    電気回路
３    上ハウジング
４    下ハウジング
５    電源コード
６    ハウジングの前面
７    ハウジングの後面
８    ハウジングの上面
９    ハウジングの下面
１０    ハウジングの左側面
１１    ハウジングの右側面
１５    端子
１６    放熱板
１７    ファン
２０    装着用凹部
２１    ガイド凸部
２２    装着用凹部の左右両側に隣接する部分
２３    装着用凹部の後側に隣接する部分
２４    表示パネル面
２５    インジケータ
２６    冷却用ヘッド部
２７    冷却用ヘッド部の前面の通気孔
２８    冷却用ヘッド部の後面の凹溝
２９    冷却用ヘッド部の後面の通気孔
３０    前面の凹溝
３１    前面の通気孔
３２    側面の凹溝
３３    側面の通気孔
３４    ガード壁部
３５    傾斜面
３６    傾斜壁
４０    接合線
５０    上面部
５１    前上側面部
５２    後上側面部
５３    左上側面部
５４    右上側面部
６０    下面部
６１    前下側面部
６２    後下側面部
６３    左下側面部
６４    右下側面部
８０    バッテリパック
８１    上面
８２    前面
８３    後面
８４    電池セル
８５    高台部
８６    端子
８７    凹溝
８８    凸条
８９    前側の通気孔
９０    後側の通気孔
【図１】
2018133959.tif 000003
【図２】
2018133959.tif 000004
【図３】
2018133959.tif 000005
【図４】
2018133959.tif 000006
【図５】
2018133959.tif 000007
【図６】
2018133959.tif 000008
【図７】
2018133959.tif 000009
【図８】
2018133959.tif 000010
【図９】
2018133959.tif 000011
【図１０】
2018133959.tif 000012
【図１１】
2018133959.tif 000013
【図１２】
2018133959.tif 000014
【図１３】
2018133959.tif 000015
【図１４】
2018133959.tif 000016
【図１５】
2018133959.tif 000017
【図１６】
2018133959.tif 000018